(57)【要約】【課題】光信号を用いてＣＡＴＶやインターネット等の各種通信サービスを提供する光伝送システムにおいて、通信サービスに対する加入者側の費用負担を軽減すること。【解決手段】光伝送システム１は、通信サービスを提供するＣＡＴＶ事業者やＩＳＰ等のセンター側と、当該通信サービスのサービス加入者側との間で送受信される光信号（波長λ１）と、光信号（波長λ２、λ３）とを弁別するためのＷＤＭフィルタ２１が中継部２００に設置される。【選択図】図１
2005341266.tif 000002
【特許請求の範囲】
【請求項１】
複数の光信号を、サービス提供者側と、該サービスの加入者側との間を光伝送路を介して伝送させ、
前記サービス提供者側と前記加入者側との間に、前記複数の光信号を個々に弁別可能な光信号弁別部を前記加入者側手前に設けて前記一つ又は複数の光信号を前記加入者毎に配信し、
前記加入者側に、少なくとも１つの光信号を受信及び／又は送信する光信号変換部を設けたことを特徴とする光伝送システム。
【請求項２】
前記複数の光信号のうち少なくとも一つの光信号は画像及び／又は音声を伝送するものであって、該画像を前記加入者側だけに配信することを特徴とする請求項１に記載の光伝送システム。
【請求項３】
音声及び／又は画像を表す一又は複数の音声画像データと、ネットワークを介して送受信される一又は複数のネットワークとを、それぞれ対応する複数の異なる波長を有する光信号として入出力する第１の光回路と、
前記第１の光回路から出力される複数の光信号のうち、音声画像データを表す光信号と、ネットワークデータを表す光信号とを弁別する光信号弁別部と、
前記光信号弁別部により弁別された各光信号を各々個別に受信して電気信号に変換する一又は複数の第２の光回路と
を備え、
前記光信号弁別部は、前記第１及び第２の光回路間の光伝送区間内に設けられたことを特徴とする光伝送システム。
【請求項４】
前記第２の光回路は、前記光信号弁別部から出力されるネットワークデータに基づいて、該光信号弁別部から出力される複数の光信号のうち、何れの信号を電気信号に変換して後段に出力するかを判定し、該判定結果に基づいて光信号の前記後段への出力制御を行う制御手段を備えたことを特徴とする請求項３に記載の光伝送システム。
【請求項５】
前記光信号弁別部は、前記光伝送区間内に設けられ、光伝送路を分岐及び／又は接続する収納箱内部に設置されたことを特徴とする請求項１〜４のうち何れか一項に記載の光伝送システム。
【請求項６】
前記光信号弁別部は、集合住宅内に設けられ、光伝送路を分岐及び／又は接続する配線箱の内部に設置されたことを特徴とする請求項１〜４のうち何れか一項に記載の光伝送システム。
【請求項７】
前記光信号変換部又は前記第２の光回路は、複数の波長を合波及び／又は分波をする光部品を有しない少なくとも光信号を受信することができることを特徴とする請求項１〜６のうち何れか一項に記載の光伝送システム。
【請求項８】
前記複数の光信号のうち、光伝送路を介して伝送する波長数が３つであることを特徴とする請求項１〜７のうち何れか一項に記載の光伝送システム。
【請求項９】
前記複数の光信号のうち少なくとも一つが画像を伝送するための光信号である場合、当該光信号の波長は、１５５０ｎｍ帯域にあることを特徴とする請求項１〜８のうち何れか一項に記載の光伝送システム。
【請求項１０】
前記複数の光信号のうち少なくとも一つが、前記サービス提供者側から前記加入者側への下り方向の電子データを伝送する光信号の場合、当該光信号の波長は１４９０ｎｍ帯域にあることを特徴とする請求項１〜９のうち何れか一項に記載の光伝送システム。
【請求項１１】
前記複数の光信号のうち少なくとも一つが、前記加入者側から前記サービス提供者側への上り方向の電子データを伝送する光信号の場合、当該光信号の波長が１３１０ｎｍ帯域にあることを特徴とする請求項１〜１０のうち何れか一項に記載の光伝送システム。
【請求項１２】
複数の光信号を、サービス提供者側と、該サービスの加入者側との間を光伝送路を介して伝送させ、
前記サービス提供者側と前記加入者側との間に、前記複数の光信号を個々に弁別可能な光信号弁別部を前記加入者側手前に設けて前記一つ又は複数の光信号を前記加入者毎に配信し、
前記複数の光信号を個々に弁別可能な光信号弁別部が、少なくとも１つの光信号を受信及び／又は送信する光信号変換部を有する筐体外に設けられ、
前記加入者側に必要な情報を光信号変換できる
ことを特徴とする加入者側の光信号変換装置。
【発明の詳細な説明】
【技術分野】
【０００１】
本発明は、波長多重された光信号を用いたＣＡＴＶやネットワーク（インターネットやイントラネット）等の通信サービスを行うための光伝送システム及び光信号変換装置に関する。
【背景技術】
【０００２】
近年、波長多重（ＷＤＭ;Wavelength Division Multiplex）された光信号を用いたＣＡＴＶ（Cable TeleVision）やインターネット等の通信サービスを行うための技術が種々考案されている（例えば、特許文献１を参照）。
【０００３】
ここで、従来の光伝送システムの一例（光伝送システム５）を図５に示す。
光伝送システム５は、図５に示すように、ＣＡＴＶ事業者やインターネットサービスプロバイダ（ISP;Internet Service Provider）や、イントラネットのサーバ等（以下、センター側と総称する）に接続されたセンター側光信号変換部１００と、該ＣＡＴＶ事業者やＩＳＰ等から各種サービスの提供を受けている者（以下、加入者側と総称する）の加入者側光信号変換部３０２−１〜３０２−ｎ（ｎは自然数、以下同様）とが、中継部２０２を介して伝送用光ファイバに接続されて成る。また、光伝送システム５は、３波多重ＰＯＮ（Passive Optical Network）方式によるものである。また、加入者側近傍あるいは加入者まで光伝送路が敷設させるＦＴＴＨ（Fiber To The Home）による光伝送システムである。
【０００４】
センター側光信号変換部１００は、Ｅ／Ｏ１１、ＯＬＴ（Optical Line Terminal：光加入者線端局装置）１２、ＷＤＭフィルタ１３を備える。Ｅ／Ｏ１１は、ＣＡＴＶ事業者側に接続され、このＣＡＴＶ事業者側から送信される音声・映像を表す電気信号を光信号（波長λ１）に変換する。以下、光信号（波長λ１）を、ＣＡＴＶ事業者側から出力される音声・映像を表す光信号とする。ＯＬＴ１２は、ＩＳＰに接続され、このＩＳＰとの間で送受信される各種データを電気信号や光信号（波長λ２、λ３）に変換する。以下、光信号（波長λ２）を下り方向の（ＩＳＰから加入者側への）データ信号とし、光信号（波長λ３）を上り方向の（加入者側からＩＳＰへの）データ信号とする。ＷＤＭフィルタ１３は、Ｅ／Ｏ１１、ＯＬＴ１２からそれぞれ出力される光信号（波長λ１、λ２）を中継部２０２に出力し、この中継部２０２から出力される光信号（波長λ３）をＯＬＴ１２に出力する。
【０００５】
中継部２０２は、光合分波器２２ｇを備える。光合分波器２２ｇは、センター側光信号変換部１００のＷＤＭフィルタ１３から出力される光信号（波長λ１、λ２）を加入者側光信号変換部３０２−１〜３０２−ｎの各ＷＤＭフィルタ３３に分岐して出力する。また、光合分波器２２ｇは、加入者側光信号変換部３０２−１〜３０２−ｎの各ＷＤＭフィルタ３３から出力された光信号（波長λ３）をセンター側光信号変換部１００のＷＤＭフィルタ１３に出力する。
【０００６】
加入者側光信号変換部３０２−１〜３０２−ｎの各々は、ＷＤＭフィルタ３３、Ｏ／Ｅ３１、ＯＮＵ（Optical Network Unit：光加入者線終端装置）３２等を備える。Ｏ／Ｅ３１は、音声・映像の出力が可能な図示しないテレビ受信機等の音声・映像出力装置に接続され、ＣＡＴＶ事業者側から、センター側光信号変換部１００、中継部２００を介して提供される音声・映像を表す光信号（波長λ１）を電気信号に変換して当該接続された音声・映像出力装置に出力する。ＯＮＵ３２は、図示しないＰＣ（Personal Computer）等に接続され、ＩＳＰからセンター側光信号変換部１００、中継部２０２を介して送信された光信号（波長λ２）を電気的なデータ信号に変換して上記接続されたＰＣに出力し、また、当該ＰＣから出力される電気的なデータ信号を光信号（波長λ３）に変換して、中継部２０２、センター側光信号変換部１００を介してＩＳＰ側に出力する。
【０００７】
また、図６に例示する光伝送システム６のように、二つ（或いは二つ以上）の異なるＣＡＴＶ事業者から提供される音声・映像データが、センター側光信号変換部１０２、中継部２０３を介して、光信号（波長λ１ａ、波長λ１ｂ）として加入者側光信号変換部３０３−１〜３０３−ｎに出力される場合には、各加入者側には、それぞれ、加入者が契約したＣＡＴＶ事業者の数だけＷＤＭフィルタ（図６に示す場合にはＷＤＭフィルタ３３ａ、３３ｂ）を用意する。ここで、センター側送信部１０２は、Ｅ／Ｏ１１ａ、１１ｂ、ＷＤＭフィルタ１３ｂを備える。Ｅ／Ｏ１１ａは、一のＣＡＴＶ事業者から提供される音声・映像データを光信号（波長λ１ａ）に変換してＷＤＭフィルタ１３ｂに出力し、Ｅ／Ｏ１１ｂは、他のＣＡＴＶ事業者から提供される音声・映像データを光信号（波長λ１ｂ）に変換してＷＤＭフィルタ１３ｂに出力する。また、加入者側受信部３０３−１は、ＷＤＭフィルタ３３ａ、３３ｂ、Ｏ／Ｅ３１ａ、３１ｂを備え、光信号（波長λ１ａ）、光信号（波長λ１ｂ）が共に受信可能となっている。加入者側光信号変換部部３０３−２は、ＷＤＭフィルタ３３ｂ、Ｏ／Ｅ３１ｂを備え、光信号（波長λ１ｂ）のみが受信可能となっている。また、加入者側光信号変換部３０３−ｎは、ＷＤＭフィルタ３３ａ、Ｏ／Ｅ３１ａを備え、光信号（波長λ１ａ）のみが受信可能となっている。
【特許文献１】特開２００２−２１７８３７号公報
【発明の開示】
【発明が解決しようとする課題】
【０００８】
しかし、上記光伝送システム５を用いた場合には、サービス加入者は、上記波長多重された光信号を弁別して所望の（契約した）通信サービス（ＣＡＴＶ事業者やＩＳＰ等）を受けるためのＷＤＭフィルタを、サービス加入者側に配置する必要がある。または、各加入者がＷＤＭフィルタ３３をそれぞれ用意する必要がある。
また、上記光伝送システム６を用いた場合には、契約した通信サービス（ＣＡＴＶ事業者）が複数ある場合には、通信サービスの種類に応じた数だけＷＤＭフィルタが必要となる。すなわち、例えば光信号（波長λ１ａ）、光信号（波長λ１ｂ）により音声・映像データをそれぞれ提供する二つのＣＡＴＶ事業者と契約した加入者は、ＷＤＭフィルタ３３ａ、ＷＤＭフィルタ３３ｂが共に必要となる。
このため、光伝送システム５、６を用いた場合等には、ＷＤＭフィルタ３３、３３ａ、３３ｂの設置／運用等に係るサービス加入者側の費用負担が非常に大きくなる。
本発明の課題は、光信号を用いてＣＡＴＶやインターネット等の各種通信サービスを提供する光伝送システムと加入者側の光信号変換装置において、通信サービスに対する加入者側の費用負担を軽減することである。
【課題を解決するための手段】
【０００９】
上記課題を解決するため、請求項１に記載の発明は、
複数の光信号を、サービス提供者側と、該サービスの加入者側との間を光伝送路を介して伝送させ、
前記サービス提供者側と前記加入者側との間に、前記複数の光信号を個々に弁別可能な光信号弁別部（例えば、ＷＤＭフィルタ２１、２１ａ、２１ｂ、２１ｃ、２１５、２１６）を前記加入者側手前に設けて前記一つ又は複数の光信号を前記加入者毎に配信し、
前記加入者側に、少なくとも１つの光信号を受信及び／又は送信する光信号変換部（例えば、加入者側光信号変換部３００−１〜３００−ｎ、３０１−１〜３０１−ｎ、３０５−１〜３０５−ｎ、３０６−１〜３０６−４）を設けたことを特徴とする。
【００１０】
更に、請求項２に記載の発明のように、請求項１に記載の発明において、
前記複数の光信号のうち少なくとも一つの光信号は画像及び／又は音声を伝送するものであって、該画像を前記加入者側だけに配信するのが好ましい。
【００１１】
また、上記課題を解決するため、請求項３に記載の発明は、
音声及び／又は画像を表す一又は複数の音声画像データと、ネットワークを介して送受信される一又は複数のネットワークとを、それぞれ対応する複数の異なる波長を有する光信号として入出力する第１の光回路（例えば、センター側光信号変換部１００、１０１、１０５）と、
前記第１の光回路から出力される複数の光信号のうち、音声画像データを表す光信号と、ネットワークデータを表す光信号とを弁別する光信号弁別部（例えば、ＷＤＭフィルタ２１、２１ａ、２１ｂ、２１ｃ、２１５、２１６）と、
前記光信号弁別部により弁別された各光信号を各々個別に受信して電気信号に変換する一又は複数の第２の光回路（例えば、加入者側光信号変換部３００−１〜３００−ｎ、３０１−１〜３０１−ｎ、３０５−１〜３０５−ｎ、３０６−１〜３０６−４）と
を備え、
前記光信号弁別部は、前記第１及び第２の光回路間の光伝送区間内に設けられたことを特徴とする。
【００１２】
更に、請求項４に記載の発明のように、請求項３に記載の発明において、
前記第２の光回路は、前記光信号弁別部から出力されるネットワークデータに基づいて、該光信号弁別部から出力される複数の光信号のうち、何れの信号を電気信号に変換して後段に出力するかを判定し、該判定結果に基づいて光信号の前記後段への出力制御を行う制御手段を備えるのが好ましい。
【００１３】
更に、請求項５に記載の発明のように、請求項１〜４のうち何れか一項に記載の発明において、
前記光信号弁別部は、前記光伝送区間内に設けられ、光伝送路を分岐及び／又は接続する収納箱内部に設置されるのが好ましい。
【００１４】
更に、請求項６に記載の発明のように、請求項１〜４のうち何れか一項に記載の発明において、
前記光信号弁別部は、集合住宅内に設けられ、光伝送路を分岐及び／又は接続する配線箱の内部に設置されるのが好ましい。
【００１５】
更に、請求項７に記載の発明のように、請求項１〜６のうち何れか一項に記載の発明において、
前記光信号変換部又は前記第２の光回路は、複数の波長を合波及び／又は分波をする光部品を有しない少なくとも光信号を受信することができるのが好ましい。
【００１６】
更に、請求項８に記載の発明のように、請求項１〜７のうち何れか一項に記載の発明において、
前記複数の光信号のうち、光伝送路を介して伝送する波長数が３つであるのが好ましい。
【００１７】
更に、請求項９に記載の発明のように、請求項１〜８のうち何れか一項に記載の発明において、
前記複数の光信号のうち少なくとも一つが画像を伝送するための光信号である場合、当該光信号の波長は、１５５０ｎｍ帯域にあるのが好ましい。
【００１８】
更に、請求項１０に記載の発明のように、請求項１〜９のうち何れか一項に記載の発明において、
前記複数の光信号のうち少なくとも一つが、前記サービス提供者側から前記加入者側への下り方向の電子データを伝送する光信号の場合、当該光信号の波長は１４９０ｎｍ帯域にあるのが好ましい。
【００１９】
更に、請求項１１に記載の発明のように、請求項１〜１０のうち何れか一項に記載の発明において、
前記複数の光信号のうち少なくとも一つが、前記加入者側から前記サービス提供者側への上り方向の電子データを伝送する光信号の場合、当該光信号の波長が１３１０ｎｍ帯域にあるのが好ましい。
【００２０】
また、上記課題を解決するため、請求項１２に記載の発明は、
複数の光信号を、サービス提供者側と、該サービスの加入者側との間を光伝送路を介して伝送させ、
前記サービス提供者側と前記加入者側との間に、前記複数の光信号を個々に弁別可能な光信号弁別部を前記加入者側手前に設けて前記一つ又は複数の光信号を前記加入者毎に配信し、
前記複数の光信号を個々に弁別可能な光信号弁別部が、少なくとも１つの光信号を受信及び／又は送信する光信号変換部を有する筐体外に設けられ、
前記加入者側に必要な情報を光信号変換できる
ことを特徴とする。
【発明の効果】
【００２１】
本発明によれば、ＣＡＴＶやインターネット等の通信サービスの加入者が、音声画像データやインターネットデータ等の複数のデータ（光信号）の中から各自が所望とする（契約済みの）データ（光信号）を抽出するためのＷＤＭフィルタ（光信号弁別部）を用意する必要がなくなる。このため、ＷＤＭフィルタの設置／運用等に要するサービス加入者側の費用負担が軽減されるので、光信号を用いたＣＡＴＶやインターネット等の通信サービスが極めて利用し易いものとなる。
【発明を実施するための最良の形態】
【００２２】
以下、図面を参照して本実施の形態について説明する。
【００２３】
＜＜第１実施例＞＞
図１に、本実施の形態における光伝送システム１の構成を示す。光伝送システム１は、３波多重ＰＯＮ方式によるＦＴＴＨシステムである。
なお、以下で説明する各構成部のうち、同様の機能を有する構成部については同一名称又は同一符号を付す。
【００２４】
光伝送システム１は、図１に示すように、ＣＡＴＶ事業者やインターネットサービスプロバイダ等のセンター側に接続されたセンター側光信号変換部１００と、このＣＡＴＶ事業者やＩＳＰ等から各種サービスの提供を受けている加入者側の加入者側光信号変換部３００−１〜３００−ｎとが、中継部２００を介して伝送用光ファイバに接続されて成る。ここで、センター側光信号変換部１００と中継部２００とは一本の伝送用光ファイバによって接続され、当該一本の伝送用光ファイバに対して互いに異なる波長の三つの光信号（波長λ１、λ２、λ３）が多重伝送される。
【００２５】
＜センター側＞
センター側光信号変換部１００は、Ｅ／Ｏ１１、ＯＬＴ１２、ＷＤＭフィルタ１３を備えるものであって、例えば、１つの筐体やラック（棚）に光ファイバ接続部、制御回路や電源回路等とともにセンター側光伝送装置として構成される。
【００２６】
Ｅ／Ｏ１１は、ＣＡＴＶ事業者側に接続され、該ＣＡＴＶ事業者側から送信される音声・映像を表す電気信号を光信号（波長λ１）に変換する。ＯＬＴ１２は、ＩＳＰに接続され、このＩＳＰとの間で送受信される各種データを電気信号や光信号（波長λ２、λ３）に変換する。ＷＤＭフィルタ１３は、Ｅ／Ｏ１１、ＯＬＴ１２からそれぞれ出力される光信号（波長λ１、λ２）を中継部２００に出力し、中継部２００から出力される光信号（波長λ３）をＯＬＴ１２に出力する。
【００２７】
＜光伝送区間＞
中継部２００は、ＷＤＭフィルタ２１と、二つの光合分波器２２ａ、２２ｂとを備える。
【００２８】
ＷＤＭフィルタ２１は、センター側と加入者側との間で送受信される各種光信号（波長λ１、λ２、λ３）を弁別する。すなわち、ＷＤＭフィルタ２１は、センター側光信号変換部１００のＷＤＭフィルタ１３から出力される光信号（波長λ１、波長λ２）から光信号（波長λ１）と光信号（波長λ２）とを各々弁別して光合分波器２２ａ、光合分波器２２ｄにそれぞれ出力する。また、ＷＤＭフィルタ２１は、光合分波器２２ｂから出力される光信号（波長λ３）をセンター側光信号変換部１００のＷＤＭフィルタ１３に出力する。
【００２９】
光合分波器２２ａは、ＷＤＭフィルタ２１から出力される光信号（波長λ１）を加入者側光信号変換部３００−１〜３００−ｎの各Ｏ／Ｅ３１に分岐して出力する。光合分波器２２ｂは、ＷＤＭフィルタ２１から出力される光信号（波長λ２）を加入者側光信号変換部３００−１〜３００−ｎの各ＯＮＵ３２に出力する。
【００３０】
また、図１及び図２に示すＷＤＭフィルタ２１は光学部品であって、例えば波長の選択が可能な導波路型が用いられる。
【００３１】
＜加入者側＞
加入者側光信号変換部３００−１〜３００−ｎの各々は、Ｏ／Ｅ３１、ＯＮＵ３２等を備えるものであって、  例えば、１つの筐体に光ファイバ接続部、制御回路や電源回路等とともに加入者側光信号変換装置として構成される。
【００３２】
Ｏ／Ｅ３１は、音声・映像データが出力可能な図示しないテレビ受信機等の音声・映像出力装置に接続され、ＣＡＴＶ事業者側から、センター側光信号変換部１００、中継部２００を介して提供される音声・映像を表す光信号（波長λ１）を電気信号に変換して当該接続された音声・映像出力装置に出力する。
【００３３】
ＯＮＵ３２は、図示しないＰＣ（Personal Computer）等に接続され、ＩＳＰからセンター側光信号変換部１００、中継部２００を介して送信された光信号（波長λ２）を電気的なデータ信号に変換して上記接続されたＰＣに出力し、また、当該ＰＣから出力される電気的なデータ信号を光信号（波長λ３）に変換して、中継部２００、センター側光信号変換部１００を介してＩＳＰ側に出力する。
【００３４】
また、上記した光伝送システム１では、ＩＳＰ側から加入者側へ光信号（波長λ２）を用いてデータを送信する場合、当該データには、送信先となる加入者が有する（若しくは動的に与えられる）ＩＰアドレス、若しくは加入者側光信号変換部部３００−１〜３００−ｎ（或いはＯＮＵ３２）等の機器固有の識別番号が付加される。このため、光伝送システム１では、このようなＩＰアドレスや機器固有の識別番号に基づき、送信データが正確に送信される。
【００３５】
また、加入者側光信号変換部３００−１〜３００−ｎと、中継部２００との間の伝送用光ファイバの長さ、センター側光信号変換部１００と中継部２００との間の伝送用光ファイバの長さや、光接続、並びに、各機器や光部品等での損失について考慮し、トータルの光損失を光伝送システム設計すれば、例えば、センター側光信号変換部からの１本の光ファイバに持てる最大数の加入者を求めることができる。
【００３６】
以上説明したように、上記構成を有する光伝送システム１によれば、センター側と加入者側との間で送受信される各種光信号（波長λ１、λ２、λ３）を弁別するためのＷＤＭフィルタ２１が中継部２００にのみ設置されているので、従来のように、加入者側に、ＷＤＭフィルタ２１と同一の機能を有するＷＤＭフィルタ３３、３３ａ、３３ｂをそれぞれ用意する必要がなくなる。このため、ＣＡＴＶ事業者やＩＳＰ等が負担する設備設置費用を増大化させることなく、各加入者に対して要求される費用負担が軽減できる。
【００３７】
なお、波長λ１には複数の画像・音声データや複数のテレビ（放送局・チャンネル）の情報が含まれ、λ２とλ３はインターネットや電子メール等の通信サービス用に用いられ、加入者側の要望に応じてλ１の１波、λ２、λ３の２波、λ１、λ２、λ３の３波が分岐される、または、受信される。例えば、λ１が１５５０ｎｍ帯、λ２が１４９０ｎｍ帯、λ３が１３１０ｎｍ帯で光ファイバ中をそれぞれ伝搬する。
【００３８】
＜＜第２実施例＞＞
次に、図２を参照して、本発明を適用した他の実施例（光伝送システム２）について説明する。ここで、光伝送システム２では、センター側光信号変換部１０１と中継部２０１とが一本の伝送用光ファイバによって接続され、当該一本の伝送用光ファイバに対して互いに異なる複数波長の複数の光信号が多重伝送される。
【００３９】
光伝送システム２は、図２に示すように、センター側光信号変換部１０１、中継部２０１、加入者側光信号変換部部３０１−１〜３０１−ｎを備える。
【００４０】
この光伝送システム２では、二つ（或いは二つ以上）の異なるＣＡＴＶ事業者から提供される音声・映像データと、ＩＳＰとの間で送受信されるデータとが、センター側光信号変換部１０１、中継部２０１を介して、光信号（波長λ１ａ、λ１ｂ、λ２、λ３）に変換されて、加入者側光信号変換部３０２−１〜３０２−ｎとの間で送受信される。
【００４１】
また、図１及び図２の光合分波器２２ａ、２２ｂ、２２ｄ、２２ｅ、２２ｆから加入者側への光ファイバは、複数本であって良く、例えば波長λ１用に一本、λ２、λ３用に一本の合計二本としてよい。また、光ファイバの種類や形状は任意に選定可能であり、例えば、プラスチック光ファイバとしてもよく、断面が円形状や帯（リボン）状等でもよい。
【００４２】
＜センター側＞
センター側光信号変換部１０１は、Ｅ／Ｏ１１ａ、１１ｂ、ＯＬＴ１２、ＷＤＭフィルタ１３ａを備える。
【００４３】
Ｅ／Ｏ１１ａは、一のＣＡＴＶ事業者から提供される音声・映像データを光信号（波長λ１ａ）に変換してＷＤＭフィルタ１３ａに出力し、Ｅ／Ｏ１１ｂは、他のＣＡＴＶ事業者から提供される音声・映像データを光信号（波長λ１ｂ）に変換してＷＤＭフィルタ１３ａに出力する。
【００４４】
ＷＤＭフィルタ１３ａは、Ｅ／Ｏ１１ａ、１１ｂから出力される光信号（波長λ１ａ、λ１ｂ）を中継部２０１の光合分波器２２ｃに出力する。また、ＷＤＭフィルタ１３ａは、ＯＬＴ１２から出力される光信号（波長λ２）を中継部２０１の光合分波器２２ｃに出力し、中継部２０１の光合分波器２２ｃから出力される光信号（波長λ３）をＯＬＴ１２に出力する。
【００４５】
＜光伝送区間＞
中継部２０１は、光合分波器２２ｃ、ＷＤＭフィルタ２１ａ、２１ｂ、２１ｃ、光合分波器２２ｄ、２２ｅ、２２ｆを備える。
【００４６】
光合分波器２２ｃは、センター側光信号変換部１０１のＷＤＭフィルタ１３ａから出力される光信号（波長λ１ａ、λ１ｂ、λ２）を、ＷＤＭフィルタ２１ａ、２１ｂ、２１ｃに分岐して出力する。また、光合分波器２２ｃは、ＷＤＭフィルタ２１ｃから出力される光信号（波長λ３）をセンター側光信号変換部１０１のＷＤＭフィルタ１３ａに出力する。
【００４７】
ＷＤＭフィルタ２１ａは、光合分波器２２ｃから出力される光信号（波長λ１ａ、λ１ｂ、λ２）から光信号（波長λ１ａ）のみを弁別して光合分波器２２ｄに出力する。
ＷＤＭフィルタ２１ｂは、光合分波器２２ｃから出力される光信号（波長λ１ａ、λ１ｂ、λ２）から光信号（波長λ１ｂ）のみを弁別して光合分波器２２ｅに出力する。
ＷＤＭフィルタ２１ｃは、光合分波器２２ｃから出力される光信号（波長λ１ａ、λ１ｂ、λ２）から光信号（波長λ２）のみを弁別して光合分波器２２ｆに出力し、光合分波器２２ｆから出力される光信号（波長λ３）を光合分波器２２ｃに出力する。
【００４８】
光合分波器２２ｄは、ＷＤＭフィルタ２１ａから出力される光信号（波長λ１ａ）を、当該光信号（波長λ１ａ）により音声・映像を提供するＣＡＴＶサービスの加入者側に出力する。すなわち、図２に示す場合には、光合分波器２２ｄは、ＷＤＭフィルタ２１ａから出力される光信号（波長λ１ａ）を、加入者側光信号変換部３０１−１、３０１−ｎが各々有するＯ／Ｅ３１ａに分岐して出力する。
光合分波器２２ｅは、ＷＤＭフィルタ２１ｂから出力される光信号（波長λ１ｂ）を、当該光信号（波長λ１ｂ）により音声・映像を提供するＣＡＴＶサービスの加入者側に出力する。すなわち、図２に示す場合には、光合分波器２２ｅは、ＷＤＭフィルタ２１ｂから出力される光信号（波長λ１ｂ）を、加入者側光信号変換部３０１−１、３０１−２が各々有するＯ／Ｅ３１ｂに分岐して出力する。
光合分波器２２ｆは、ＷＤＭフィルタ２１ｃから出力される光信号（波長λ２）を、光信号（波長λ２、λ３）を用いたインターネットサービスの加入者側に出力する。また、光合分波器２２ｆは、当該インターネットサービスの加入者側から出力される光信号（波長λ３）をＷＤＭフィルタ２１ｃに出力する。すなわち、図２に示す場合には、光合分波器２２ｆは、ＷＤＭフィルタ２１ｃから出力される光信号（波長λ２）を加入者側光信号変換部３０１−ｎのＯＮＵ３２ａに出力し、また、ＯＮＵ３２ａから出力される光信号（波長λ３）をＷＤＭフィルタ２１ｃに出力する。
【００４９】
＜加入者側＞
各加入者側では、それぞれ、加入者が契約したＣＡＴＶ事業者やＩＳＰの数だけ、Ｏ／ＥやＯＮＵが必要となる。すなわち、図２に示す場合には、加入者側光信号変換部部３０１−１は、光信号（波長λ１ａ）を受信するＯ／Ｅ３１ａと、光信号（波長λ１ｂ）を受信するＯ／Ｅ３１ｂを備え、加入者側光信号変換部３０１−２は、光信号（波長λ１ｂ）を受信するＯ／Ｅ３１ｂを備え、加入者側光信号変換部３０１−ｎは、光信号（波長λ１ａ）を受信するＯ／Ｅ３１ａと、光信号（波長λ２、λ３）を送受信するＯＮＵ３２ａとを備える。
【００５０】
また、上記した光伝送システム２では、ＩＳＰ側から加入者側へ光信号（波長λ２）を用いてデータを送信する場合、当該データには、送信先となる加入者が有する（若しくは動的に与えられる）ＩＰアドレス、若しくは加入者側光信号変換部３０１−１〜３０１−ｎ（或いはＯＮＵ３２ａ）等の機器固有の識別番号が付加される。このため、光伝送システム２では、このようなＩＰアドレスや機器固有の識別番号に基づき、送信データが正確に送信される。
【００５１】
また、加入者側光信号変換部３０１−１〜３０１−ｎと、中継部２０１との間の伝送用光ファイバの長さは、センター側光信号変換部１０１と中継部２０１との間の伝送用光ファイバの長さに比べて非常に短いものとする。
【００５２】
以上説明したように、上記構成を有する光伝送システム２によれば、センター側と加入者側との間で送受信される各光信号（波長λ１ａ）、光信号（波長λ１ｂ）、光信号（波長λ２、λ３）を弁別するためのＷＤＭフィルタ２１ａ、２１ｂ、２１ｃが中継部２０１にのみ設置されているので、従来のように、各加入者側に、ＷＤＭフィルタ２１ａ、２１ｂ、２１ｃと同一の機能を有するＷＤＭフィルタを用意する必要がなくなる。このため、ＣＡＴＶ事業者やＩＳＰ等が負担する設備設置費用を増大化させることなく、各加入者に対して要求される費用負担を軽減できる。
【００５３】
＜＜第３実施例＞＞
次に、図３を参照して、本発明を適用した他の実施例（光伝送システム３）について説明する。ここで、光伝送システム３は、ＷＤＭ技術を用いて波長分割多重方式による通信サービスを行う。ここで、光伝送システム３では、センター側光信号変換部１０５と中継部２０５とが一本の伝送用光ファイバによって接続され、当該一本の伝送用光ファイバに対して互いに異なる複数波長の複数の光信号が多重伝送される。
【００５４】
光伝送システム３は、図３に示すように、センター側光信号変換部１０５、中継部２０５（図３では光ファイバを分岐及び／又は接続するクロージャ）、加入者側光信号変換部３０５−１〜３０５−ｎを備える。また、この光伝送システム３では、ｍ個所（ｍは自然数、以下同様）の異なるＣＡＴＶ事業者から提供される音声・映像データと、ＩＳＰとの間で送受信されるデータとが、センター側光信号変換部１０５、中継部２０５を介して、光信号（波長λ１１〜λ１ｍ、λ２、λ３）に変換されて、加入者側光信号変換部３０５−１〜３０５−ｎとの間で送受信される。
【００５５】
＜センター側＞
センター側光信号変換部１０５は、Ｅ／Ｏ１１５−１〜１１５−ｍ、ＯＬＴ１２５、ＷＤＭフィルタ１３５を備える。
【００５６】
Ｅ／Ｏ１１５−１〜１１５−ｍは、各ＣＡＴＶ事業者からそれぞれ提供される音声・映像データをそれぞれ光信号（波長λ１１〜λ１ｍ）に変換してＷＤＭフィルタ１３５に出力する。
【００５７】
ＷＤＭフィルタ１３５は、Ｅ／Ｏ１１５−１〜１１５−ｍからそれぞれ出力される各光信号（波長λ１１〜λ１ｍ）をＷＤＭフィルタ２１５に出力する。また、ＷＤＭフィルタ１３５は、ＯＬＴ１２５から出力される光信号（波長λ２）を、ＷＤＭフィルタ２１５に出力し、ＷＤＭ２１５から出力される光信号（波長λ３）をＯＬＴ１２５に出力する。
【００５８】
＜光伝送区間＞
中継部２０５は、ＷＤＭフィルタ２１５、光合分波器２２５−１〜２２５−ｍ、２２５を備える。
【００５９】
ＷＤＭフィルタ２１５は、一本の光ファイバを介してＷＤＭフィルタ１３５から出力される光信号（波長λ１１〜λ１ｍ、λ２）を弁別し、光合分波器２２５−１〜２２５−ｍ、２２５に出力する。すなわち、ＷＤＭフィルタ２１５は、光信号（波長λ１１〜λ１ｍ、λ２）から光信号（波長λ１ｋ）のみを弁別して光合分波器２２５−ｋに出力し、また、光信号（波長λ２）を弁別して光合分波器２２５に出力する（ｋは１〜ｍまでの整数、以下同様）。
ＷＤＭフィルタ２１５は、光合分波器２２５から出力される光信号（λ３）をＷＤＭ１３５に出力する。
【００６０】
光合分波器２２５−ｋは、光信号（波長λ１ｋ）を加入者側光信号変換部３０５−１〜３０５−ｎに出力する。光合分波器２２５は、光信号（波長λ２）を加入者側光信号変換部３０５−１〜３０５−ｎに出力し、また、加入者側光信号変換部３０５−１〜３０５−ｎから出力される光信号（波長λ３）をＷＤＭフィルタ２１５に出力する。
【００６１】
＜加入者側＞
また、各加入者側では、それぞれ、加入者が契約したＣＡＴＶ事業者やＩＳＰの数だけ、図示しないＯ／ＥやＯＮＵが用意される。すなわち、図３に示す態様では、加入者側光信号変換部３０５−１〜３０５−ｎは、それぞれ、光信号（波長λ１１〜λ１ｍ）を各々受信するＯ／Ｅと、光信号（波長λ２、λ３）を送受信するＯＮＵとを、各加入者の契約内容に応じて必要な数だけ備える。
【００６２】
また、上記した光伝送システム３では、加入者側の契約内容に応じた波長の光信号（サービス）を、例えば、加入者側光信号変換部３０５−１〜３０５−ｎにおいてディップスイッチによる回路切り替えにより選択し、Ｏ／Ｅ変換するようにしたり、及び／又は、センター側からの送信時に暗号化やスクランブル配信し、加入者側では許可された波長の光信号のみ利用できるようにしてもよい。また、加入者側で必要な波長の光信号のみが選択的に送受信可能な加入者側光信号変換部３０５−１〜３０５−ｎも提供可能とある。
【００６３】
以上説明したように、上記構成を有する光伝送システム３によれば、センター側と加入者側との間で送受信される各光信号（波長λ１１〜λ１ｍ、λ２、λ３）を弁別するためのＷＤＭフィルタ２１５が中継部２０５にのみ設置されているので、従来のように、各加入者が、ＷＤＭフィルタやそれと同等の機能を有する装置を各自で用意する必要がなくなる。このため、ＣＡＴＶ事業者やＩＳＰ等が負担する設備設置費用を増大化させることなく、各加入者に対して要求される費用負担が軽減できる。
また、特定波長の光信号（サービス）のみ選択的に送受信可能な加入者側光信号変換部３０５−１〜３０５−ｎが提供できるので、加入者の好みに応じたサービスが提供可能となる。
【００６４】
＜＜第４実施例＞＞
次に、図４を参照して、本発明を適用した他の実施例（光伝送システム４）について説明する。
光伝送システム４は、図４に示すように、センター側からの光伝送路が、マンションやアパート等の集合住宅へ地下配線にて敷設されたものである。また、この光伝送路は集合住宅の配線箱２０６のＷＤＭフィルタ２１６に接続される。この光伝送路を光伝搬する光信号（波長λ１、λ２）は、ＷＤＭフィルタ２１６により弁別されて、光合分波器２２６−１、２２６−２に出力される。すなわち、光信号（波長λ１）は光合分波器２２６−１に出力され、光信号（波長λ２）は光合分波器２２６−２に出力される。また、ＷＤＭフィルタ２１６は、光合分波器２２６−２から出力される光信号（波長λ３）を、地下配線の光伝送路を介してセンター側に出力する。
【００６５】
光合分波器２２６−１は、光信号（波長λ１）を加入者側光信号変換部３０６−１〜３０６−４に出力し、光合分波器２２６−２は、光信号（波長λ２）を加入者側光信号変換部３０６−１〜３０５−４に出力する。また、光合分波器２２６−２は、加入者側光信号変換部３０６−１〜３０６−４から出力される光信号（波長λ３）をＷＤＭフィルタ２１６に出力する。
【００６６】
また、図４に示すように、光伝送システム４では、配線箱２０６から加入者側光信号変換部３０６−１〜３０６−４には少なくとも２心の光ファイバが各々配線される。
【００６７】
加入者側光信号変換部３０６−１は、Ｏ／Ｅ３６−１、ＯＮＵ３７−１共に光接続され、加入者側光信号変換部３０６−２も同様に、Ｏ／Ｅ３６−２、ＯＮＵ３７−２共に光接続されている。また、加入者側光信号変換部３０６−３は、Ｏ／Ｅ３６−３のみが光接続され、加入者側光信号変換部３０６−４は、ＯＮＵ３７−４のみが光接続されている。
【００６８】
なお、上記した光伝送システム４では、光ファイバの接続（光接続）の有無は各加入者の要望に沿ったものとなっているが、例えば、加入者側のＯ／Ｅ３６−１〜３６−４にディップスイッチを設け、このディップスイッチによる回路切り替えによって加入者が所望の波長の光信号のみをＯ／Ｅ変換してもよいし、及び／又は、センター側からの送信時に暗号化やスクランブル配信し、加入者側では許可された波長の光信号のみ利用可能としてもよい。また、加入者側で必要な波長の光信号のみが選択的に送受信可能な加入者側光信号変換部３０６−１〜３０５−４も提供できる。
【００６９】
さらに、図４の加入者側の加入者側光信号変換部３０６−１〜３０６−４が、Ｏ／Ｅのみ、或いは、ＯＮＵのみからなる装置であってよい。
また、配線箱２０６がＯ／ＥとＯＮＵとを備えた場合には、配線箱２０６と加入者との間は同軸ケーブルやネットワークケーブル等のメタルケーブルであってもよい。
また、集合住宅内のイントラネットを構築してよく、例えば、図４の配線箱２０６やその周辺に各加入者側のＯ／Ｅ及び／又はＯＮＵ３７を設け、集合住宅の管理室に設置したサーバにて一括して情報を管理するものでよい。また、集合住宅についての管理情報等を通達することや、集合住宅の住人間での情報交換等に使ってもよい。
また、集合住宅の場合、各加入者側の要望に係らず光ケーブルを敷設可能な設備としておく、若しくは、あらかじめ複数心の光ケーブルを敷設しておくことが好ましい。
【００７０】
なお、本実施の形態における記述は、本発明に係る光伝送システムの一例を示すものであり、これに限定されるものではない。本実施の形態における光伝送システム１〜４の細部構成及び詳細な動作等に関しては、本発明の趣旨を逸脱しない範囲で適宜変更可能である。
【００７１】
例えば、加入者側光信号変換部３００−１〜３００−ｎや加入者側光信号変換部３０１−ｎがそれぞれ備えるＯＮＵ３２やＯＮＵ３２ａ、或いは、加入者側光信号変換部３０５−１〜３０５−ｎが備える図示しないＯＮＵや加入者側光信号変換部３０６−１〜３０６−４がそれぞれ備えるＯＮＵ３７−１〜３７−４は、各加入者の契約内容に応じて、中継部２０１、２００，２０５，２０６から出力される光信号（波長λ１）、光信号（波長λ１ａ、λ１ｂ）、光信号（λ１１〜λ１ｍ）、光信号（波長λ２、λ３）を、後段に設置されるテレビ受信機やＰＣに出力するか否かを判定し、契約済みのサービスに係る光信号のみ電気信号に変換してテレビ受信機或いはＰＣ等に出力するようにしてもよい。
【００７２】
また、光伝送システム１においては、説明簡略化のため、利用可能なＣＡＴＶ事業者の数、ＩＳＰの数をそれぞれ一つとし、また、光伝送システム２においては、利用可能なＣＡＴＶ事業者の数を二つとし、ＩＳＰの数を一つとして説明したが、これに限らず、利用可能なＣＡＴＶ事業者やＩＳＰの数に制限はなく、自由に設定可能である。
【００７３】
また、光伝送システム２では、説明簡略化のため、一つのＩＳＰからインターネットサービスが提供されるものとして説明したが、複数のＩＳＰにからインターネットサービスが提供されるような構成であってもよい。この場合、センター側光信号変換部１０１には、契約可能なＩＳＰの数だけＯＬＴ１２が設けられ、中継部２０１には、契約可能なＩＳＰの数だけＷＤＭフィルタ２１ｃ、光合分波器２２ｆが各々設けられ、加入者側では、契約したＩＳＰの数だけＯＮＵ３２ａが設けられる。
【００７４】
また、光伝送システム２は、ＣＡＴＶサービスのみが提供できるような構成であってもよく、この場合、センター側部１０１に設けられるＯＬＴ１２と、中継部２０１に設けられるＷＤＭフィルタ２１ｃ、光合分波器２２ｆと、加入者側に設けられるＯＮＵ３２ａとが不要となる。
【００７５】
また、光伝送システム４は、説明簡略化のため、四つの加入者側光信号変換部（加入者側光信号変換部３０６−１〜３０６−４）を備えるとしたが、これに限らず、加入者側光信号変換部の数は自由に設定できる。
【００７６】
また、光伝送システム１〜４のＷＤＭを活用したシステムには、ＣＷＤＭ（Coarse WDM）や、ＤＷＤＭ（Dense WDM）などネットワークの大きさや伝送データ量などに応じたものがある。
【００７７】
また、図１、２、３、４で説明した加入者側光信号変換装置は、ＯＮＵを有さない、Ｏ／Ｅ変換装置のみで光信号を変換するものであってよい。
また、加入者側光信号変換装置は、受信のみをする装置であってよい。
【図面の簡単な説明】
【００７８】
【図１】本発明を適用した第１実施例における光伝送システムの概略構成を示す図である。
【図２】本発明を適用した第２実施例における光伝送システムの概略構成を示す図である。
【図３】本発明を適用した第３実施例における光伝送システムの概略構成を示す図である。
【図４】本発明を適用した第４実施例における光伝送システムの概略構成を示す図である。
【図５】従来の光伝送システムの概略構成を示す図である。
【図６】従来の他の光伝送システムの概略構成を示す図である。
【符号の説明】
【００７９】
１、２、３、４、５、６  光伝送システム
１００、１０１、１０２、１０５  センター側光信号変換部
１１、１１ａ、１１ｂ、１１５−１〜１１５−ｍ  Ｅ/Ｏ
１２  ＯＬＴ
１３、１３ａ、１３ｂ、１３５  ＷＤＭフィルタ
２００、２０１、２０２、２０３、２０５  中継部
２０６  配線箱
２１、２１ａ、２１ｂ、２１ｃ、２１５、２１６  ＷＤＭフィルタ
２２、２２ａ、２２ｂ、２２ｄ、２２ｅ、２２ｆ、２２ｇ、２２ｈ、２２５、２２５−１〜２２５−ｍ、２２６−１、２２６−２  光合分波器
３００−１〜３００−ｎ、３０１−１〜３０１−ｎ、３０２−１〜３０２−ｎ、３０３-１〜３０３−ｎ、３０５−１〜３０５−ｎ、３０６−１〜３０６−４  加入者側光信号変換部
３１、３１ａ、３１ｂ、３６−１〜３６−４  Ｏ/Ｅ
３２、３２ａ、３７−１〜３７−４  ＯＮＵ
３３、３３ａ、３３ｂ  ＷＤＭフィルタ
【図１】
2005341266.tif 000003
【図２】
2005341266.tif 000004
【図３】
2005341266.tif 000005
【図４】
2005341266.tif 000006
【図５】
2005341266.tif 000007
【図６】
2005341266.tif 000008